(57)【特許請求の範囲】
【請求項１】
記録媒体の画像を読み取る画像読取手段と、
前記画像読取手段により画像が読み取られる記録媒体を載置するプラテンガラスと、
前記画像読取手段により画像が読み取られる記録媒体を搬送する搬送路と、
前記搬送路によって搬送される記録媒体を載置する載置手段と、
前記載置手段に設けられ、前記載置手段に載置された記録媒体を検知する記録媒体検知手段と、
前記載置手段又は前記搬送路に設けられ、前記載置手段又は前記搬送路に載置された記録媒体に含まれる、大バルクハウゼン効果を示す磁性部材によって生じる磁化反転を検知することにより、当該記録媒体が複写禁止であることを検知する第１の複写禁止媒体検知手段と、
前記プラテンガラスに対向するプラテンカバーに設けられ、前記プラテンガラスに載置された記録媒体に含まれる、大バルクハウゼン効果を示す磁性部材によって生じる磁化反転を検知することにより、当該記録媒体が複写禁止であることを検知する第２の複写禁止媒体検知手段と、
前記記録媒体検知手段により前記載置手段に載置された記録媒体が検知されず、前記プラテンカバーが閉じられた場合、当該プラテンカバーが閉じられてから予め定められた時間内であって、前記第２の複写禁止媒体検知手段により前記プラテンガラスに載置された記録媒体が複写禁止であることが検知されたときには、当該記録媒体の複写を禁止するように制御し、当該プラテンカバーが閉じられてから予め定められた時間を経過した後であって、前記第１の複写禁止媒体検知手段により前記載置手段又は前記搬送路に載置された記録媒体が複写禁止であることが検知されたときには、当該記録媒体の複写を禁止するように制御する制御手段と
を有する画像形成装置。
【発明の詳細な説明】
【技術分野】
【０００１】
本発明は、複合機等、原稿を読み取る機能を有する画像形成装置に関する。
【背景技術】
【０００２】
この種の画像形成装置が使用される場合、情報漏洩を防止することが重要である。情報漏洩の防止を目的に、例えば、複製が禁止された原稿がスキャナ等により読み取られたときにその読取画像から特定パターンを検出し、その検出結果に応じて出力を制御する手法は公知である。
【０００３】
特許文献１では、モノクロ複写機とカラー複写機の区別に関係なく、複写した場合に、複写物として判別可能な複写防止手段を有する複写防止印刷物が開示されている。
特許文献２では、複数の素材画像をモザイク様に組み合わせてモザイク画像を生成する画像処理方法及び装置が開示されている。
特許文献３では、出力トレイに取り付けられた用紙検知装置によって、その出力トレイの空きを検出するプリントサーバが開示されている。
【０００４】
【特許文献１】特開平７−７６１９５号公報
【特許文献２】特開平１１−３４５３３０号公報
【特許文献３】特開平０２−１２００６８号公報
【発明の開示】
【発明が解決しようとする課題】
【０００５】
しかしながら、特許文献１〜３に開示された技術では、原稿が読み取られることにより、画像データが生成され、この画像データが画像形成装置に記憶されてしまうことがある。
【０００６】
本発明は、原稿を読み取って画像データを生成することなく、複写が禁止された原稿が複写されることを防ぐことができる画像形成装置を提供することを目的とする。
【課題を解決するための手段】
【００１５】
本発明に係る画像形成装置は、記録媒体の画像を読み取る画像読取手段と、前記画像読取手段により画像が読み取られる記録媒体を載置するプラテンガラスと、前記画像読取手段により画像が読み取られる記録媒体を搬送する搬送路と、前記搬送路によって搬送される記録媒体を載置する載置手段と、前記載置手段に設けられ、前記載置手段に載置された記録媒体を検知する記録媒体検知手段と、前記載置手段又は前記搬送路に設けられ、前記載置手段又は前記搬送路に載置された記録媒体に含まれる、大バルクハウゼン効果を示す磁性部材によって生じる磁化反転を検知することにより、当該記録媒体が複写禁止であることを検知する第１の複写禁止媒体検知手段と、前記プラテンガラスに対向するプラテンカバーに設けられ、前記プラテンガラスに載置された記録媒体に含まれる、大バルクハウゼン効果を示す磁性部材によって生じる磁化反転を検知することにより、当該記録媒体が複写禁止であることを検知する第２の複写禁止媒体検知手段と、前記記録媒体検知手段により前記載置手段に載置された記録媒体が検知されず、前記プラテンカバーが閉じられた場合、当該プラテンカバーが閉じられてから予め定められた時間内であって、前記第２の複写禁止媒体検知手段により前記プラテンガラスに載置された記録媒体が複写禁止であることが検知されたときには、当該記録媒体の複写を禁止するように制御し、当該プラテンカバーが閉じられてから予め定められた時間を経過した後であって、前記第１の複写禁止媒体検知手段により前記載置手段又は前記搬送路に載置された記録媒体が複写禁止であることが検知されたときには、当該記録媒体の複写を禁止するように制御する制御手段とを有する。本発明によれば、プラテンカバーに用紙検知センサを設ける必要がなくなる。
【発明の効果】
【００１８】
本発明の画像形成装置によれば、原稿を読み取って画像データを生成することなく、複写が禁止された原稿が複写されることを防ぐことができる。
【発明を実施するための最良の形態】
【００１９】
図１は、本発明の実施形態に係る画像形成装置１０を示す図である。
図１に示すように、画像形成装置１０は、例えば電子写真方式の画像形成部１２、原稿読取装置１４、用紙が積載された例えば２段の給紙トレイ１６ａ，１６ｂ、手差しトレイ１８及び制御部６０を有する。画像形成装置１０は、例えば、印刷機能、複写機能及び読取機能を有する複合機であり、原稿読取装置１４により読み取られた読取画像又は外部の端末装置（不図示）から送信された印刷データに基いて描画された画像を、給紙トレイ１６ａ，１６ｂ又は手差しトレイ１８から用紙搬送路２０に供給された用紙に形成する。
【００２０】
画像形成部１２は、像保持体２２、この像保持体２２を一様に帯電する帯電器２４、この帯電器２４により一様に帯電された像保持体２２に潜像を形成する露光装置２６、この露光装置２６により形成された像保持体２２上の潜像をトナーで可視化する現像器２８、この現像器２８により形成されたトナー像を用紙に転写する転写装置３０、及び像保持体２２に残ったトナーをクリーニングするクリーナ３２を有する。露光装置２６は、例えばレーザ走査方式のもので、読取画像等に基づいてレーザのオンオフ信号に変えて出力する。転写装置３０は例えば転写ロールから構成され、この転写装置３０によりトナー像が転写された用紙が定着装置３４に送られ、この定着装置３４によりトナー像が用紙に定着され、このトナー像が定着された用紙が排出トレイ３６に排出される。
【００２１】
用紙搬送路２０には、複数の搬送ロール３８が設けられている。この搬送ロール３８の一つとして、転写装置３０上流側近傍には、レジストロール４０が配置されている。このレジストロール４０は、供給された用紙を一時停止させ、像保持体２２に潜像が形成されるタイミングと同期して用紙を転写装置３０に用紙を供給するように制御される。
【００２２】
原稿読取装置１４は、原稿の画像を光学的に読み取る光学系４２（画像読取手段）及びＡＤＦ（Auto Document Feeder）等の自動原稿送り装置４４を有する。光学系４２は、原稿に光を照射するランプ４６、原稿からの光を反射する反射ミラー４８ａ，４８ｂ，４８ｃ、この反射ミラー４８ａ〜４８ｃからの光を収束させるレンズ５０、及びこのレンズ５０により収束した光を読み取る読取センサ５２を有する。読取センサ５２は、例えばＣＣＤから構成されている。この光学系４２は、後述する自動原稿送り装置４４により送られた原稿を流し読みする機能、及び反射ミラー４８ａ〜４８ｃ等を走査してプラテンガラス５４上に載置された原稿を読み取る機能を備えている。
【００２３】
自動原稿送り装置４４は、多数の原稿が載置される原稿載置台５６、原稿搬送路５８、原稿を搬送する搬送ロール６２及び画像を読み取った後の原稿が排出される排出台５９を有する。なお、自動原稿送り装置４４は、開閉可能であり、自動原稿送り装置４４の下面は、原稿をプラテンガラス５４上に押圧するプラテンカバーとして機能する。
【００２４】
なお、画像形成装置１０は、タンデム式であってもよいし、ロータリー式であってもよい。また、画像形成部１２は、インクジェット方式等、他の方式により実現されてもよい。
【００２５】
図２は、本発明の第１の実施形態に係る画像形成装置１０の自動原稿送り装置４４の詳細な構成を示す図である。
図２に示すように、自動原稿送り装置４４には、原稿載置台５６に載置された原稿を検知する用紙検知センサ６８、この用紙検知センサ６８に検知された原稿のうち複写が禁止された原稿を検知する複写禁止媒体検知センサ６６及び原稿載置台５６から原稿搬送路５８に搬送される原稿の後端を検知する後端検知センサ６４がさらに設けられている。
【００２６】
自動原稿送り装置４４において、用紙検知センサ６８は、例えば発光素子及び受光素子を含む反射式の光センサである。用紙検知センサ６８は、反射光がある場合、用紙が載置されていることを示す用紙検知信号を後述する制御部６０に対して出力する。後端検知センサ６４は、用紙検知センサ６８と同様に反射式の光センサである。後端検知センサ６４は、用紙の後端を検知すると、後端検知信号を複写禁止媒体検知センサ６６に対して出力する。
【００２７】
複写禁止媒体検知センサ６６は、原稿載置台５６に設けられており、発生された磁界の変化を検知するセンサである。複写禁止媒体検知センサ６６は、例えば２９７ｍｍ×５５ｍｍ程度の挟み込みアンテナであり、大バルクハウゼン効果により複写禁止の用紙を検知する。より具体的には、複写禁止媒体検知センサ６６は、大バルクハウゼン効果を示す磁性ワイヤーなどの磁性部材が漉き込まれた用紙が原稿載置台５６に載置された場合、用紙に含まれる磁性部材が生じる磁化反転を検知し、複写禁止の用紙を検知した旨の信号（複写禁止信号）を制御部６０に対して出力する。この場合、複写禁止媒体検知センサ６６は、フリップフロップ動作のセット信号として複写禁止信号を出力する。
【００２８】
複写禁止媒体検知センサ６６は、複写禁止信号を出力した場合、予め決められた時間が、後端検知センサ６４から出力される後端検知信号を受け付けてから経過した後、リセット動作により複写禁止信号の出力を停止し、次の複写禁止原稿の検知が可能な状態に復帰する。例えば、ＣＰＵ１００が読取動作を停止させるのに十分な時間が、複写禁止媒体検知センサ６６が後端検知信号を受け付けてから経過した場合、複写禁止媒体検知センサ６６のリセット動作が行われる。なお、複写禁止媒体検知センサ６６は、制御部６０によりリセットされてもよい。
【００２９】
図３は、画像形成装置１０の制御部６０の構成を示す図である。
図３に示すように、制御部６０は、ＣＰＵ１００、メモリ１０２、外部の端末装置等との間でデータの通信を行う通信装置１０４、液晶ディスプレイ等の表示装置１０６、キーボード等の入力装置１０８及び音声を出力するスピーカ１１０を有する。これらの構成要素は、バス１１２を介して接続されている。なお、表示装置１０６及び入力装置１０８は、タッチパネルとして実現されてもよい。
【００３０】
ＣＰＵ１００（制御手段）は、所定のプログラムを実行し、画像形成装置１０の他の構成要素を制御する。ＣＰＵ１００は、光学系４２により原稿の画像が読み取られる前に、複写禁止媒体検知センサ６６により原稿が複写禁止であることが検知された場合、この原稿の複写を禁止するように制御する。より具体的には、ＣＰＵ１００は、用紙検知センサ６８から出力される用紙検知信号を入力している間に、複写禁止媒体検知センサ６６から出力される複写禁止信号を入力した場合、原稿読取装置１４の光学系４２を制御して、読取動作を停止させる。なお、ＣＰＵ１００は、自動原稿送り装置４４を制御して、搬送される原稿を停止させてもよい。
【００３１】
この場合、さらに、ＣＰＵ１００は、複写禁止の原稿が検知された旨を音声で通知する。具体的には、ＣＰＵ１００は、スピーカ１１０を制御してその旨を通知させる。
【００３２】
また、ＣＰＵ１００は、検知された複写禁止の原稿に対する複数の処理を表示装置１０６に表示し、表示された複数の処理からユーザにより選択された処理を入力装置１０８を介して受け付け、当該処理を当該原稿に対して行う。複数の処理には、例えば、複写を停止する、パスワード入力など所定のセキュリティ処理の後に複写を行う、複写される原稿の内容に例えばハッチングを行う等の制限を加えた上で複写を行う等が含まれる。
【００３３】
なお、ＣＰＵ１００は、複数の処理に関する情報を通信装置１０４を介して外部の端末装置に対して通知し、ユーザにより選択された処理に関する情報を通信装置１０４を介して受け付けてもよい。また、ＣＰＵ１００は、複写禁止信号を受け付けた場合、原稿の複写を禁止するように制御した後、複写禁止媒体検知センサ６６をリセットしてもよい。
【００３４】
図４は、本発明の第１の実施形態に係る画像形成装置１０の全体動作（Ｓ１０）を示すフローチャートである。
図４に示すように、ステップ１００（Ｓ１００）において、制御部６０のＣＰＵ１００は、用紙検知信号を受け付けたか否かを判定する。ＣＰＵ１００は、用紙検知信号を受け付けた場合にはＳ１０２の処理に進み、そうでない場合にはＳ１００の処理に戻る。使用者が画像形成装置１０の原稿載置台５６に原稿を置くと、用紙検知センサ６８は、原稿が載置されていること検知し、用紙検知信号を制御部６０に対して出力する。
【００３５】
ステップ１０２（Ｓ１０２）において、ＣＰＵ１００は、複写禁止信号を受け付けたか否かを判定する。ＣＰＵ１００は、複写禁止信号を受け付けた場合にはＳ１０８の処理に進み、そうでない場合にはＳ１０４の処理に進む。
【００３６】
複写禁止信号が受け付けられていない場合、使用者により例えばコピーボタン（不図示）が押下されコピー動作が指示されると、ステップ１０４（Ｓ１０４）において、原稿が自動原稿送り装置４４により搬送され、光学系４２により読み取られ、画像データが生成される。
ステップ１０６（Ｓ１０６）において、画像が、給紙トレイ１６等から搬送された用紙に、生成された画像データに基いて画像形成部１２により形成され、用紙が、排出トレイ３６に排出される。
【００３７】
一方、複写禁止信号が受け付けられた場合、ステップ１０８（Ｓ１０８）において、ＣＰＵ１００は、複写禁止処理を行う。具体的には、光学系４２による読取動作を停止させる。したがって、画像データは、生成されない。また、ＣＰＵ１００は、複写禁止の用紙が検知された旨を音声で通知する。
【００３８】
ステップ１１０（Ｓ１１０）において、ＣＰＵ１００は、検知された複写禁止の用紙に対する複数の処理を表示装置１０６に表示する。
ステップ１１２（Ｓ１１２）において、ＣＰＵ１００は、複数の処理から選択された処理を受け付けたか否かを判定する。ＣＰＵ１００は、選択された処理を受け付けた場合にはＳ１１４の処理に進み、そうでない場合にはＳ１１２の処理に戻る。使用者が表示装置１０６に表示された複数の処理の中から処理を選択し、入力装置１０８を用いて入力する。
ステップ１１４（Ｓ１１４）において、ＣＰＵ１００は、選択された処理を実行する。
【００３９】
次に、本発明の第２の実施形態に係る画像形成装置１０を説明する。本発明の第２の実施形態に係る画像形成装置１０は、複写禁止媒体検知センサ６６が、自動原稿送り装置４４の原稿搬送路５８を搬送される原稿が複写禁止であることを検知する点で、第１の実施形態に係る画像形成装置１０とは異なる。
【００４０】
図５は、本発明の第２の実施形態に係る画像形成装置１０の自動原稿送り装置４４の詳細な構成を示す図である。なお、図５に示された各構成のうち、図２に示された構成と実質的に同一のものには同一の符号が付されている。
図５に示すように、本実施形態に係る画像形成装置１０において、複写禁止媒体検知センサ６６は、自動原稿送り装置４４の原稿搬送路５８の近傍に設けられている。より具体的には、複写禁止媒体検知センサ６６は、原稿搬送路５８において、原稿読取装置１４の光学系４２より上流側であって、原稿載置台５６及びこの原稿載置台５６から原稿を搬送する搬送ロール６２の下流側に設けられている。
【００４１】
したがって、複写禁止媒体検知センサ６６は、原稿載置台５６から原稿搬送路５８に搬送され、原稿読取装置１４の光学系４２により読み取られる前の複写禁止原稿を検知する。なお、本実施形態においては、ＣＰＵ１００は、複写禁止媒体検知センサ６６から出力される複写禁止信号を入力した場合、原稿の複写を禁止するように制御すればよく、用紙検知信号を入力している間に複写禁止信号を入力する必要はない。
【００４２】
次に、本発明の第３の実施形態に係る画像形成装置１０を説明する。本発明の第３の実施形態に係る画像形成装置１０は、複写禁止媒体検知センサ６６が、プラテンガラス５４に載置された原稿が複写禁止であることを検知する点で、第１の実施形態に係る画像形成装置１０とは異なる。
【００４３】
図６は、本発明の第３の実施形態に係る画像形成装置１０の自動原稿送り装置４４の詳細な構成を示す図である。なお、図６に示された各構成のうち、図２に示された構成と実質的に同一のものには同一の符号が付されている。
図６に示すように、本実施形態に係る画像形成装置１０において、複写禁止媒体検知センサ６６は、プラテンガラス５４に対向するプラテンカバー（自動原稿送り装置４４の下面）に設けられている。
【００４４】
したがって、複写禁止媒体検知センサ６６は、プラテンガラス５４に載置され、原稿読取装置１４の光学系４２により読み取られる前の複写禁止原稿を検知する。なお、本実施形態においても、ＣＰＵ１００は、複写禁止媒体検知センサ６６から出力される複写禁止信号を入力した場合、原稿の複写を禁止するように制御すればよく、用紙検知信号を入力している間に複写禁止信号を入力する必要はない。
【００４５】
次に、第４の実施形態に係る画像形成装置１０を説明するが、理解を助けるため、以下、第４の実施形態に係る画像形成装置１０の背景を説明する。
複写禁止媒体センサ６６は、誤って、用紙に漉き込まれている磁性部材以外の物体に反応するおそれがあるので、用紙にのみ反応するよう、用紙が検知される場合にのみ作動させることが望ましい。プラテンカバーに載置された原稿を検知するためには、プラテンカバーに用紙検知センサを設けるか、プリスキャンすればよい。しかしながら、プラテンカバーに用紙検知センサを設ける場合には、あらゆるサイズの用紙を検知するため、複数の用紙検知センサを設けなければならず、複写禁止媒体センサを設けることが物理的に難しくなってしまう。一方、プリスキャンする場合には、原稿が読み取られ、画像データが生成されてしまう。したがって、プラテンカバーに用紙検知センサを設けない構成を採ることが望ましい。
【００４６】
本発明の第４の実施形態に係る画像形成装置１０は、複写禁止媒体センサ６６が、原稿載置台５６に載置された原稿が複写禁止であることに加えて、プラテンガラス５４に載置された原稿が複写禁止であることを検知する点で、第１の実施形態に係る画像形成装置１０とは異なる。
【００４７】
図７は、本発明の第４の実施形態に係る画像形成装置１０の自動原稿送り装置４４の詳細な構成を示す図である。なお、図７に示された各構成のうち、図２に示された構成と実質的に同一のものには同一の符号が付されている。
図７に示すように、本実施形態に係る画像形成装置１０において、複写禁止媒体検知センサ６６は、原稿載置台５６及びプラテンガラス５４に対向するプラテンカバーに設けられている。
【００４８】
したがって、複写禁止媒体センサ６６は、原稿載置台５６又はプラテンガラス５４に載置され、原稿読取装置１４の光学系４２により読み取られる前の複写禁止原稿を検知する。複写禁止媒体センサ６６は、別個のアンテナとして、原稿載置台５６及びプラテンガラス５４に載置される。アンテナが検知する信号の増幅率及びオフセット値は別個に設定されるが、別個の回路によって設定されてもよいし、同一の回路によって設定されてもよい。なお、本実施形態においては、ＣＰＵ１００は、用紙検知センサ６８により原稿載置台５６に原稿がないことが検知され、プラテンカバーに設けられた角度センサ（不図示）によりプラテンカバーが閉じられたことが検知された場合、プラテンカバーが閉じられたことが検知されてから予め定められた時間内の場合には、プラテンガラス５４に原稿が置かれたものとして、プラテンカバーに設けられた複写禁止媒体センサ６６からの複写禁止信号を受け付ける。ＣＰＵ１００は、プラテンカバーが閉じられたことが検知されてから予め定められた時間を過ぎた場合には、原稿載置台５６に設けられた複写禁止媒体センサ６６からの複写禁止信号を受け付ける。このような構成によって、原稿載置台５６及びプラテンガラス５４に載置された複写禁止媒体センサ６６が切り替えられ、原稿載置台５６又はプラテンガラス５４に載置された複写禁止媒体が検知される。
【００４９】
以上、複写禁止媒体センサ６６が、原稿載置台５６及びプラテンカバーに設けられ、原稿載置台５６に載置された原稿及びプラテンガラス５４に載置された原稿が複写禁止であることを検知することを説明したが、複写禁止媒体センサ６６は、原稿搬送路５８の近傍及びプラテンカバーに設けられ、原稿搬送路５８に搬送された原稿及びプラテンガラス５４に載置された原稿が複写禁止であることを検知してもかまわない。
また、原稿載置台５６及びプラテンカバーに設けられた複写禁止媒体センサ６６が明示的に切り替えられることを説明したが、原稿載置台５６の複写禁止媒体センサ６６からの複写禁止信号を受け付ける受信部（不図示）及びプラテンカバーの複写禁止媒体センサ６６からの複写禁止信号を受け付ける受信部（不図示）を並列に接続して、ＣＰＵ１００が複写禁止信号を受け付けたら、いずれの複写禁止媒体センサ６６から出力されたかに関わらず、原稿の複写が禁止されるよう制御してもかまわない。
【００５０】
図８は、本発明の第４の実施形態に係る画像形成装置１０の全体動作（Ｓ２０）を示すフローチャートである。
図８に示すように、ステップ２００（Ｓ２００）において、制御部６０のＣＰＵ１００は、原稿載置台５６に設けられた用紙検知センサ６８から、用紙検知信号を受け付けたか否かを判定する。ＣＰＵ１００は、用紙検知信号を受け付けた場合にはＳ２１４の処理に進み、そうでない場合にはＳ２０２の処理に進む。前述したＳ１００と同様、使用者が画像形成装置１０の原稿載置台５６に原稿を置くと、用紙検知センサ６８は、原稿を検知し、用紙検知信号を制御部６０に対して出力する。
【００５１】
ステップ２０２（Ｓ２０２）において、ＣＰＵ１００は、プラテンカバーに設けられた角度センサから、プラテンカバーを閉じる信号を受け付けたか否かを判定する。ＣＰＵ１００は、プラテンカバーを閉じる信号を受け付けた場合にはＳ２０４の処理に進み、そうでない場合にはＳ２１４の処理に進む。使用者がプラテンカバーを閉じると、角度センサは、プラテンカバーが閉じられたことを検知し、プラテンカバーを閉じる信号を制御部６０に対して出力する。
【００５２】
ステップ２０４（Ｓ２０４）において、ＣＰＵ１００は、プラテンカバーが閉じられてから、予め定められた時間を経過しているか否かを判定する。ＣＰＵ１００は、予め定められた時間を経過している場合にはＳ２０６の処理に進み、そうでない場合にはＳ２１０の処理に進む。ＣＰＵ１００は、例えば、プラテンカバーが閉じられたことを検知したときにタイマを起動して、プラテンカバーが閉じられてから経過した時間を計る。
【００５３】
ステップ２０６（Ｓ２０６）において、ＣＰＵ１００は、原稿載置台５６（又は原稿搬送路５８の近傍）に設けられた複写禁止媒体検知センサ６６からの複写禁止媒体信号を受け付け、ステップ２０８（Ｓ２０８）において、ＣＰＵ１００は、原稿載置台５６（又は原稿搬送路５８の近傍）に設けられた複写禁止媒体センサ６６から、複写禁止媒体信号が入力されたか否かを判定する。複写禁止媒体信号が入力された場合にはＳ２１４の処理に進み、そうでない場合にはＳ２０４の処理に戻る。
【００５４】
ステップ２１０（Ｓ２１０）において、ＣＰＵ１００は、プラテンカバーに設けられた複写禁止媒体検知センサ６６からの複写禁止媒体信号を受け付け、ステップ２１２（Ｓ２１２）において、ＣＰＵ１００は、プラテンカバーに設けられた複写禁止媒体センサ６６から、複写禁止媒体信号が入力されたか否かを判定する。複写禁止媒体信号が入力された場合にはＳ２１４の処理に進み、そうでない場合にはＳ２０４の処理に戻る。
【００５５】
ステップ２１４（Ｓ２１４）において、ＣＰＵ１００は、複写禁止処理を行う。前述したＳ１０８と同様、具体的には、ＣＰＵ１００は、光学系４２による読取動作を停止させ、画像データを生成しない。なお、前述したＳ１０８と同様、ＣＰＵ１００は、複写禁止の用紙が検知された旨を音声で通知してもかまわない。
ＣＰＵ１００は、複写禁止処理を終了したら、Ｓ２００の処理に戻る。なお、前述したＳ１１０〜１１４と同様、複写禁止処理を終了したら、検知された複写禁止の用紙に対して処理を行い、Ｓ２００の処理に戻ってもかまわない。
【図面の簡単な説明】
【００５６】
【図１】本発明の実施形態に係る画像形成装置１０を示す図である。
【図２】本発明の第１の実施形態に係る画像形成装置１０の自動原稿送り装置４４の詳細な構成を示す図である。
【図３】画像形成装置１０の制御部６０の構成を示す図である。
【図４】本発明の第１の実施形態に係る画像形成装置１０の全体動作（Ｓ１０）を示すフローチャートである。
【図５】本発明の第２の実施形態に係る画像形成装置１０の自動原稿送り装置４４の詳細な構成を示す図である。
【図６】本発明の第３の実施形態に係る画像形成装置１０の自動原稿送り装置４４の詳細な構成を示す図である。
【図７】本発明の第４の実施形態に係る画像形成装置１０の自動原稿送り装置４４の詳細な構成を示す図である。
【図８】本発明の第４の実施形態に係る画像形成装置１０の全体動作（Ｓ２０）を示すフローチャートである。
【符号の説明】
【００５７】
１０    画像形成装置
１２    画像形成部
１４    原稿読取装置
４２    光学系
４４    自動原稿送り装置
５４    プラテンガラス
５６    原稿載置台
５８    原稿搬送路
５９    排出台
６０    制御部
６２    搬送ロール
６４    後端検知センサ
６６    複写禁止媒体検知センサ
６８    用紙検知センサ
１００  ＣＰＵ
１０２  メモリ
１０４  通信装置
１０６  表示装置
１０８  入力装置
１１０  スピーカ
【図１】
0004518201.tif 000002
【図２】
0004518201.tif 000003
【図３】
0004518201.tif 000004
【図４】
0004518201.tif 000005
【図５】
0004518201.tif 000006
【図６】
0004518201.tif 000007
【図７】
0004518201.tif 000008
【図８】
0004518201.tif 000009